(57)【特許請求の範囲】
【請求項１】
メインシリンダと、前記メインシリンダに対して回転可能であるメインロータと、これらの間に介在された第１のロック手段と、前記第１のロック手段のロック状態を解除するためのメインキーと、を備えた第１のロック機構と、
ドアに取り付けられたベース盤と、前記ベース盤に設けられた係合ボックスと、前記第１のロック手段の前記メインロータに連結された遮蔽円板と、前記遮蔽円板に対して相対的に回転可能であるサブロータと、前記係合ボックスと前記サブロータとの間に介在された第２のロック手段と、前記第２のロック手段のロック状態を解除するためのサブキーと、前記ベース盤に取り付けられ、前記遮蔽円板を覆うカバーと、を備えた第２のロック機構と、を具備し、
前記第１のロック機構の前記メインロータには、前記メインキーが挿入されるキー孔が設けられており、
前記第２のロック機構の前記遮蔽円板には、前記サブキーが挿入されるキーボックスが設けられ、前記カバーには、前記キーボックスに対応してキー窓が設けられており、
前記第１のロック手段の施錠角度位置において前記第１のロック機構の前記メインロータの前記キー孔に前記メインキーを挿入すると、前記第１のロック手段のロック状態が解除されて前記メインシリンダに対する前記メインロータの回動が許容され、この状態において前記メインキーを回動すると、前記第１のロック機構の前記メインロータを介して前記第２のロック機構の前記遮蔽円板が回動され、前記メインキーをサブキー挿入角度位置まで回動させると、前記第２のロック機構の前記カバーの前記キー窓と前記遮蔽円板の前記キーボックスとが合致し、この状態において前記キー窓を通して前記キーボックスに前記サブキーを挿入して前記メインキーを前記第２のロック手段の施錠角度位置まで回動すると、前記第２のロック手段のロック状態が解除されて前記サブロータの回動が許容され、この状態から前記メインキーを前記第２のロック手段のロック解除維持角度位置まで回動すると、前記サブキーとともに前記サブロータが移動して前記第２のロック手段のロック状態が解除されるとともにこの状態が維持されることを特徴とする施錠装置。
【請求項２】
前記第１のロック機構の前記メインシリンダに関連して、ドアと係合しているラッチボルトを移動させるためのスピンドルが設けられており、また、前記第２のロック機構の前記サブロータに関連して、ドアをロックするためのロックバーを作動する角芯が設けられており、前記メインキーを前記第２のロック手段の前記ロック解除維持角度位置まで回動すると、前記第２のロック手段のロック状態が解除されて前記角芯が回動され、この角芯の回動により前記ロックバーが移動して前記ロックバーのロック状態が解除され、この状態において前記第１のロック機構の前記メインシリンダを回動すると、前記スピンドルを介して前記ラッチボルトが移動され、これによって前記ラッチボルトのドアとの係合状態が解除されてドアが開閉できることを特徴とする請求項１記載の施錠装置。
【請求項３】
前記第２のロック機構の前記サブロータには、ドアをロックするためのロックバーが連結されており、前記メインキーを前記第２のロック手段の前記ロック解除維持角度位置まで回動すると、前記サブロータの回動によって前記ロックバーが移動され、これによって前記ロックバーのロック状態が解除されることを特徴とする請求項１記載の施錠装置。
【請求項４】
前記第１のロック手段の前記施錠角度位置から前記メインキーを所定方向と反対方向に回動すると前記サブキー挿入角度位置に位置し、前記サブキー挿入角度位置から前記メインキーを前記所定方向に回動すると前記第２のロック手段の前記施錠角度位置に位置し、前記第２のロック手段の前記施錠角度位置から前記メインキーを前記所定方向にさらに回動すると前記第２のロック手段の前記ロック解除維持角度位置に位置することを特徴とする請求項１〜３のいずれかに記載の施錠装置。
【請求項５】
前記第１のロック手段の前記施錠角度位置から前記メインキーを所定方向に回動すると前記サブキー挿入角度位置に位置し、前記サブキー挿入角度位置から前記メインキーをさらに前記所定方向に回動すると前記第２のロック手段の前記施錠角度位置に位置し、前記第２のロック手段の前記施錠角度位置から前記メインキーをさらに前記所定方向に回動すると前記第２のロック手段の前記ロック解除維持角度位置に位置することを特徴とする請求項１〜３のいずれかに記載の施錠装置。
【請求項６】
メインシリンダと、前記メインシリンダに対して回転可能であるメインロータと、前記メインロータを回動させる回動操作具と、ドアに取り付けられたベース盤と、前記ベース盤に設けられた係合ボックスと、前記メインロータに連結された遮蔽円板と、前記遮蔽円板に対して相対的に回転可能であるサブロータと、前記係合ボックスと前記サブロータとの間に介在されたロック手段と、前記ロック手段のロック状態を解除するためのキーと、前記ベース盤に取り付けられ、前記遮蔽円板を覆うカバーと、を備えたロック機構と、を具備し、
前記メインロータには、前記回動操作具が挿入される操作孔が設けられており、  前記ロック機構の前記遮蔽円板には、前記キーが挿入されるキーボックスが設けられ、前記カバーには、前記キーボックスに対応してキー窓が設けられており、
前記メインロータの前記操作孔に前記回動操作具を挿入して回動すると、前記メインロータを介して前記ロック機構の前記遮蔽円板が回動され、前記回動操作具をキー挿入角度位置まで回動させると、前記ロック機構の前記カバーの前記キー窓と前記遮蔽円板の前記キーボックスとが合致し、この状態において前記キー窓を通して前記キーボックスに前記キーを挿入して前記回動操作具を前記ロック手段の施錠角度位置まで回動すると、前記ロック手段のロック状態が解除されて前記サブロータの回動が許容され、この状態から前記回動操作具を前記ロック手段のロック解除維持角度位置まで回動すると、前記キーとともに前記サブロータが移動して前記ロック手段のロック状態が解除されるとともにこの状態が維持されることを特徴とする施錠装置。
【発明の詳細な説明】
【０００１】
【発明の属する技術分野】
本発明は、ピッキングの実質上不可能な施錠装置に関するものである。
【０００２】
【従来の技術】
従来、玄関ドアをはじめ各種の開閉ドアに広く取り付けられている施錠装置の代表的なものとしてディスクタンブラ錠がある。このディスクタンブラ錠は、メインロータとメインシリンダとの間に両者のロック手段として、例えば、複数のばねとドライバを介してタンブラが配置され、メインロータの中心部に設けられたキー孔にメインキーを挿入することにより、タンブラを介しドライバを移動させてメインロータを回転可能とし、メインキーを回転させることによりメインロータを介しその先端に設けられた角芯を回転させて、ドアをロックしている閂状のロックバーを作動可能にするようにしたものである。
【０００３】
しかし、前記のディスクタンブラ錠は、メインロータ内に放射方向に動くタンブラを直線的に配置しているためピッキングにより開錠されやすく、また、キー孔にマイナスドライバを差し込んで強引に回転させることにより、施錠装置内部のタンブラやドライバを破壊して開錠される可能性もあり、防犯上大きな問題点を有していた。
【０００４】
このピッキングを防止するために、最近、タンブラを四方向から出るようにしたディンプルキー方式や、従来のディスクシリンダーを改良してタンブラの動きを回転式にした回転式シリンダ錠等各種の施錠装置が開発されている。
【０００５】
【発明が解決しようとする課題】
しかし、最近開発された各種の施錠装置についても、一つのキーで施錠と開錠を行うものであるため、従来より時間は要するがピッキングにより開錠される可能性があり、また、限られたスペース内に複雑な機構を無理に組み込むことになるため、ロック手段としての高い強度が得られないといった種々の問題点を有している。
【０００６】
【課題を解決するための手段】
本発明は、メインシリンダと、前記メインシリンダに対して回転可能であるメインロータと、これらの間に介在された第１のロック手段と、前記第１のロック手段のロック状態を解除するためのメインキーと、を備えた第１のロック機構と、
ドアに取り付けられたベース盤と、前記ベース盤に設けられた係合ボックスと、前記第１のロック手段の前記メインロータに連結された遮蔽円板と、前記遮蔽円板に対して相対的に回転可能であるサブロータと、前記係合ボックスと前記サブロータとの間に介在された第２のロック手段と、前記第２のロック手段のロック状態を解除するためのサブキーと、前記ベース盤に取り付けられ、前記遮蔽円板を覆うカバーと、を備えた第２のロック機構と、を具備し、
前記第１のロック機構の前記メインロータには、前記メインキーが挿入されるキー孔が設けられており、
前記第２のロック機構の前記遮蔽円板には、前記サブキーが挿入されるキーボックスが設けられ、前記カバーには、前記キーボックスに対応してキー窓が設けられており、
前記第１のロック手段の施錠角度位置において前記第１のロック機構の前記メインロータの前記キー孔に前記メインキーを挿入すると、前記第１のロック手段のロック状態が解除されて前記メインシリンダに対する前記メインロータの回動が許容され、この状態において前記メインキーを回動すると、前記第１のロック機構の前記メインロータを介して前記第２のロック機構の前記遮蔽円板が回動され、前記メインキーをサブキー挿入角度位置まで回動させると、前記第２のロック機構の前記カバーの前記キー窓と前記遮蔽円板の前記キーボックスとが合致し、この状態において前記キー窓を通して前記キーボックスに前記サブキーを挿入して前記メインキーを前記第２のロック手段の施錠角度位置まで回動すると、前記第２のロック手段のロック状態が解除されて前記サブロータの回動が許容され、この状態から前記メインキーを前記第２のロック手段のロック解除維持角度位置まで回動すると、前記サブキーとともに前記サブロータが移動して前記第２のロック手段のロック状態が解除されるとともにこの状態が維持されることを特徴とする施錠装置である。
【０００７】
この本発明に従えば、施錠装置は、第１のロック機構と第２のロック機構とを具備し、第１のロック機構はメインシリンダ、メインロータ、第１のロック手段及びメインキーを備え、第２のロック機構は、遮蔽円板、カバー、サブロータ、第２ロック手段及びサブキーを備えており、第１のロック機構のロック状態はメインキーを用いてロック解除し、第２のロック機構のロック状態はサブキーを用いてロック解除するように構成されている。それ故に、第１のロック機構の第１のロック手段に対し、仮にピッキングが成功してメインロータが回転可能になったとしても、このメインロータの回転だけでは第２のロック機構の第２のロック手段のロック状態を解除することはできない。従って、ピッキング等などによって施錠装置のロック状態、換言すると第１及び第２のロック機構のロック状態を実質上解除することができず、かくしてこの施錠装置を取り付けたドア等を開閉することは実質上不可能である。
【０００８】
また、仮に、ピッキング等によってメインロータを回転させて第２のロック機構の遮蔽円板のキーボックスとカバーのキー窓とを一致させたとしても、キーボックスに挿入するサブキーを所持していなければ、第２のロック機構のロック状態を解除することができない。即ち、サブキーを所有していないと、サブロータを回動させることはできないため、第２のロック機構のロック状態を解除することは実質上不可能となる。
【０００９】
さらに、第１のロック手段の施錠角度位置においては、第２のロック機構における遮蔽円板のキーボックスは、カバーに設けられたキー窓から外れた位置に位置し、このキー窓自体も遮蔽円板により塞がれて外部から隠れており、それ故に、キーボックスに対する異物の挿入などのいたずら行為が防止できる。
また、本発明では、前記第１のロック機構の前記メインシリンダに関連して、ドアと係合しているラッチボルトを移動させるためのスピンドルが設けられており、また、前記第２のロック機構の前記サブロータに関連して、ドアをロックするためのロックバーを作動する角芯が設けられており、前記メインキーを前記第２のロック手段の前記ロック解除維持角度位置まで回動すると、前記第２のロック手段のロック状態が解除されて前記角芯が回動され、この角芯の回動により前記ロックバーが移動して前記ロックバーのロック状態が解除され、この状態において前記第１のロック機構の前記メインシリンダを回動すると、前記スピンドルを介して前記ラッチボルトが移動され、これによって前記ラッチボルトのドアとの係合状態が解除されてドアが開閉できることを特徴とする。
【００１０】
本発明に従えば、メインキーを第２のロック手段のロック解除維持角度位置まで回動すると、第２のロック手段のロック状態が解除されるとともに角芯が回動してロックバーのロック状態が解除されるため、この状態において第１のロック機構のメインシリンダを回動すると、スピンドルを介してドアと係合しているラッチボルトが移動され、ドアを開放することができる。
【００１１】
また、本発明では、前記第２のロック機構の前記サブロータには、ドアをロックするためのロックバーが連結されており、前記メインキーを前記第２のロック手段の前記ロック解除維持角度位置まで回動すると、前記サブロータの回動によって前記ロックバーが移動され、これによって前記ロックバーのロック状態が解除されることを特徴とする。
【００１２】
本発明に従えば、メインキーを第２ロック手段のロック解除維持角度位置まで回動すると、サブロータを介して、ドアをロックするためのロックバーが移動され、これによってロックバーのロック状態を解除してドアを開放することができる。
また、本発明では、前記第１のロック手段の前記施錠角度位置から前記メインキーを所定方向と反対方向に回動すると前記サブキー挿入角度位置に位置し、前記サブキー挿入角度位置から前記メインキーを前記所定方向に回動すると前記第２のロック手段の前記施錠角度位置に位置し、前記第２のロック手段の前記施錠角度位置から前記メインキーを前記所定方向にさらに回動すると前記第２のロック手段の前記ロック解除維持角度位置に位置することを特徴とする。
【００１３】
本発明に従えば、第１のロック手段の施錠角度位置からメインキーを所定方向と反対方向に回動してサブキー挿入角度位置に位置付け、その後所定方向に回動して第２のロック手段の施錠角度位置に位置付け、その後更に所定方向に回動して第２のロック手段のロック解除維持角度位置に位置付けるので、メインキーの回転角度範囲を比較的小さくして、施錠装置の施錠解除操作を比較的に容易に行うことができる。
【００１４】
また、本発明では、前記第１のロック手段の前記施錠角度位置から前記メインキーを所定方向に回動すると前記サブキー挿入角度位置に位置し、前記サブキー挿入角度位置から前記メインキーをさらに前記所定方向に回動すると前記第２のロック手段の前記施錠角度位置に位置し、前記第２のロック手段の前記施錠角度位置から前記メインキーをさらに前記所定方向に回動すると前記第２のロック手段の前記ロック解除維持角度位置に位置することを特徴とする。
【００１５】
本発明に従えば、第１のロック手段の施錠角度位置からメインキーを所定方向に回動してサブキー挿入角度位置に位置付け、その後所定方向に回動すると第２のロック手段の施錠角度位置に位置し、その後さらに所定方向に回動すると第２のロック手段のロック解除維持角度位置に位置するので、メインキーを所定方向に回動することによって、施錠装置の施錠状態を解除することができる。
【００１６】
さらに、本発明は、メインシリンダと、前記メインシリンダに対して回転可能であるメインロータと、前記メインロータを回動させる回動操作具と、ドアに取り付けられたベース盤と、前記ベース盤に設けられた係合ボックスと、前記メインロータに連結された遮蔽円板と、前記遮蔽円板に対して相対的に回転可能であるサブロータと、前記係合ボックスと前記サブロータとの間に介在されたロック手段と、前記ロック手段のロック状態を解除するためのキーと、前記ベース盤に取り付けられ、前記遮蔽円板を覆うカバーと、を備えたロック機構と、を具備し、
前記メインロータには、前記回動操作具が挿入される操作孔が設けられており、  前記ロック機構の前記遮蔽円板には、前記キーが挿入されるキーボックスが設けられ、前記カバーには、前記キーボックスに対応してキー窓が設けられており、
前記メインロータの前記操作孔に前記回動操作具を挿入して回動すると、前記メインロータを介して前記ロック機構の前記遮蔽円板が回動され、前記回動操作具をキー挿入角度位置まで回動させると、前記ロック機構の前記カバーの前記キー窓と前記遮蔽円板の前記キーボックスとが合致し、この状態において前記キー窓を通して前記キーボックスに前記キーを挿入して前記回動操作具を前記ロック手段の施錠角度位置まで回動すると、前記ロック手段のロック状態が解除されて前記サブロータの回動が許容され、この状態から前記回動操作具を前記ロック手段のロック解除維持角度位置まで回動すると、前記キーとともに前記サブロータが移動して前記ロック手段のロック状態が解除されるとともにこの状態が維持されることを特徴とする施錠装置である。
【００１７】
この発明に従えば、前記第１のロック手段が省略されており、メインキーに代わる回動操作具にてメインロータを回動させることにより、前記第２のロック機構のみから成るロック機構のロック手段が解除されることを特徴とする。従って、構造が簡単で価格の低廉化が図れる。
【００１８】
【発明の実施の形態】
以下、添付図面を参照して、本発明に従う施錠装置の実施形態について説明する。
実施の形態１
図１〜図６は本発明に従う施錠装置の構成の第１の実施形態を示すもので、図１は、施錠装置の分解斜視図であり、図２は、第２のロック手段を解除した状態の縦断側面図（図３の（ｂ）におけるＡ−Ａ断面図）であり、図３は、作動手順を示す説明図で、（ａ）は平面図、（ｂ）〜（ｅ）は図２におけるＢ−Ｂ断面図であり、図４は、第２のロック手段におけるタンブラ部分の拡大断面図であり、図５は、図４のＣ−Ｃ断面図、図６は、ロータ本体の内面図である。
【００１９】
図１において、図１（ａ）は、シリンダ錠本体２を示し、このシリンダ錠本体２は、メインロータ４と、その外周に位置するメインシリンダ６とからなり、これら両者の間には、第１のロック手段として、図２に示すような複数のタンブラ８とドライバ１０がばね１２を介して配置されている。メインロータ４にはキー孔１４が設けられており、キー孔１４へのメインキー１５の挿入によりタンブラ８を介して前記メインロータ４とメインシリンダ６との間に跨って位置しているドライバ１０が移動し、これらドライバ１０の移動によってシアライン１８が開放されて第１のロック手段のロック状態が解除され、これによって、メインロータ４に対するメインシリンダ６の相対的回動が許容される。前記メインロータ４の下部はメインシリンダ６の下部より突出させて首部２０とその下方の細径の連結部２４とが設けられ、この連結部２４にリング溝２２が設けられている。なお、符号２６はメインシリンダ６の下面に設けられている連結孔であり、２８は首部２０の下面に設けられているねじ孔である。
【００２０】
図１の（ｂ）は、前記メインシリンダ６と後記するスピンドル５２とを連結する連結リング３０を示し、この連結リング３０の内径は前記メインロータ４下部の首部２０との間に一定の間隙を保って嵌る大きさである。連結リング３０は環状のリング本体３２を備え、このリング本体３２の上面に複数の連結ピン３４が設けられ、またリング本体３２の内周の一部に切欠凹部３６が形成されている。
この連結ピン３４がメインシリンダ６の下面に設けられている前記連結孔２６に嵌合されて結合される。
【００２１】
図１（ｃ）は、下面が開放された円筒キャップ状のカバー３８を示し、このカバー３８の天板４０の中央部に穴４２が設けられると共に、この穴４２に突出パイプ４４が設けられ、この突出パイプ４４の外周部にほぼ９０度にわたって円弧状孔４６が設けられ、また、天板４０の外周部に、スカート４８を備えたキー窓５０が設けられている。このキー窓５０の平面形状は、図示例の場合、断面盃状でカバー３８の中心側に位置する内面が円弧４９に形成された形態のものであり、このキー窓５０の上方から同形断面の後記するサブキー１３０を挿入したときにこのサブキー１３０がカバー３８の中心に対して放射方向に移動しない形態となっている。キー窓５０とサブキー１３０の断面形状は図示の形状に限定されるものではなく、前記の放射方向に移動しない形態の適宜の形状、例えば両側部がくびれた鼓状などでもよい。このカバー３８は、後述する遮蔽円板６０を覆うように配設される。
【００２２】
図１（ｄ）は、前記メインシリンダ６の回動と共に回動するスピンドル５２を示し、図示のスピンドル５２は、円弧状のスピンドル本体５４を具備し、このスピンドル本体５４の上部に側面視コの字状のスピンドルアーム５６が設けられ、その先端上部に前記連結リング３０の切欠凹部３６に嵌る円弧状突起５８が設けられており、この円弧状突起５８が前記切欠凹部３６に嵌め込まれてビス３７にて固定され、円弧状のスピンドル本体５４が後記するベース盤１０６の円弧孔１２０に通されて一定範囲にわたって回動するように取り付けられる。
【００２３】
図１（ｅ）は、前記キー窓５０を遮蔽する遮蔽円板６０を示し、この遮蔽円板６０は、円形状の円板本体６２を備え、この円板本体６２の外周部下面にキーボックス６４が設けられているとともに、円板本体６２の、キーボックス６４と反対側の部位に、作動棹６６が設けられている。また、円板本体６２の略中央部には、前記メインロータ４の首部２０に嵌る孔６８と、この孔６８の外周側にビス孔７０が設けられている。前記キーボックス６４は、前記カバー３８のキー窓５０と同形の縦孔状、その内面が円弧７２に形成され、円板本体６２の下部のキーボックス６４において、この円弧７２の部分は開口部７４となっている。また、このキーボックス６４には、開口部７４の両側端縁にそれぞれ外方に向けたタンブラ用の押圧ガイド７５が設けられている。なお、７６は前記遮蔽円板６０と後記のサブロータ８０との間に介在させる座金である。
【００２４】
図１（ｆ）は、サブロータ８０を示し、このサブロータ８０は、扇形板８２と、扇形板８２の外周縁の一端に下方に向けて設けた一定長さの肉厚円弧状のロータ本体８４と、その他の外周縁下部に設けた円弧板状のロータガイド８６と、一端の側縁下方に設けたロータピン８８とからなり、扇形板８２の要部には前記メインロータ４の首部２０に嵌る孔９０が形成されている。このロータ本体８４の外周円弧部９２は、前記キー窓５０の内側円弧４９やキーボックス６４内側の円弧７２と実質上同一の曲率半径になっている。なお、９４は前記サブロータ８０と後記の連結リング１０２との間に介在させる座金である。
【００２５】
図１（ｇ）は、ドアをロックするためのロックバー駆動用の角芯９６を示し、この角芯９６の上端部には、前記メインロータ４下部の連結棹２４と実質上同形の円形鍔９８が設けられ、この円形鍔９８の下方にアーム１００が角芯９６と一体的に設けられている。
図１（ｈ）は、前記メインロータ４の下端と角芯９６の上端の円形鍔９８とを包むように連結する断面コの字型で半割状の連結リング１０２を示し、この連結リング１０２は、メインロータ４のリング溝２２と角芯９６上端の円形鍔９８の下部との間に嵌り込んで両者を回転可能な状態に連結する。
【００２６】
図１（ｉ）は、ベース盤１０６を示し、このベース盤１０６は、円板状のベース盤本体１０８と、このベース盤本体１０８の上面に設けられた係合ボックス１１０、円弧板状のタンブラガイド１１２、ストッパ１１４及び円弧板状のキーガイド１１６とからなり、ベース盤本体１０８の中心部には前記角芯９６が嵌って回転する貫通孔１１８が形成され、その外周部には前記スピンドル５２の円弧状のスピンドル本体５４が嵌って一定範囲にわたって回動する円弧孔１２０が形成されている。また、ベース盤本体１０８の下面には、ドアの内側のメインシリンダ固定板２０８と連結する二本の連結パイプ１２２が設けられている。
【００２７】
前記係合ボックス１１０の外周面は、前記サブロータ８０のロータガイド８６の内面と実質上同一の曲率半径になっており、また、円弧板状のタンブラガイド１１２は、係合ボックス１１０の外周面と実質上同一の曲率半径でその一端から図３に示すように反時計方向に約１００度の範囲にわたって延びている。また、キーガイド１１６は、前記サブロータ８０の外周円弧部９２と実質上同一の曲率半径でその一端から図３に示すように前記タンブラガイド１１２と反対側に約１２０度の範囲にわたって延びている。また、ストッパ１１４は磁石製で前記タンブラガイド１１２の端部近傍の外方に設けられており、前記サブロータ８０の当たりとなっている。このストッパ１１４は磁石製でなくてもよく、前記サブロータ８０の側端部が当接した際に一定の力、即ち、後記する図３（ｃ）の状態からサブキー１３０を移動させて離す際に、サブロータ８０がサブキー１３０に付いて共に移動せず、且つ、メインキー１５の回転力では容易に離れて移動するものであればよい。
【００２８】
また、前記ベース盤本体１０８下面の二本の連結パイプ１２２は、図２に示すように、ドア２１０の錠前取付孔２１６の外方に設けられている二つのパイプ孔２１８に通されて、ドアの内側のノブ固定板２０８とねじ２２０にて連結固定されるが、この際角芯９６とスピンドル本体５４もドアの錠前取付孔２１６に挿入され、ドア２１０の内側に突出している角芯９６の先端にサムターン２２２が固定され、その後、前記ノブ固定板２０８に内側ノブ２２４がねじ込まれる。
【００２９】
前記の角芯９６とスピンドル本体５４をドアの錠前取付孔２１６に挿入するに当たっては、ロックバー２１２とラッチボルト２１３とが並列に装着された状態において予めドア内に嵌め込まれた錠本体ケース２１１内の前記ロックバー２１２を操作するための作動カム中心に設けられた角穴に角芯９６が挿入され、ラッチボルト２１３を操作するための板カムに設けられた円弧穴にスピンドル本体５４が挿入される。前記錠本体ケース２１１内におけるロックバー２１２とラッチボルト２１３及びこれらを操作するための作動カムや板カム等の構成については、前記錠本体ケース２１１が広く一般に各種のドアに用いられている周知のものであるため詳細な説明は省略する。
【００３０】
図１（ｊ）は、前記キー窓５０からキーボックス６４に挿入される横断面盃型をした柱状のサブキー１３０を示し、このサブキー１３０の内側面は前記キー窓５０の内側の円弧４９及びキーボックス６４の内側の円弧７２と実質上同一の曲率半径であって、その円弧状の内側面には上下方向に複数のキー溝１３４、３６及び１３８と、これら複数のキー溝の側部に縦長状の駆動溝１４０が形成され、またその上面に釣孔１４２が設けられている。
【００３１】
前記サブロータ８０のロータ本体８４とベース盤１０６の係合ボックス１１０及びサブキー１３０との関係は下記のように構成されている。即ち、サブロータ８０のロータ本体８４の内面には、図４〜図６に示すように、ロータ本体８４の内面側（図４において下側）に角型の横長状タンブラ溝１５４、１５６及び１５８が回転方向に少し位相がずれて上下に設けられていると共に、その側部に縦長角板状の駆動板１９８の溝１６０が設けられ、各タンブラ溝１５４、１５６，１５８の奥部の外周円弧部９２側に角型のピン溝１６４、１６６及び１６８が設けられ、駆動板１９８の溝１６０の奥部の外周円弧部９２側に縦長角型状のスリット１７０が設けられている。一方、ベース盤１０６の係合ボックス１１０には、その外面に前記サブロータ８０に設けた各タンブラ溝１５４、１５６及び１５８に対応して実質上同形の深孔状のドライバ溝１７４、１７６及び１７８が、また、前記駆動板１９８の溝１６０に対応して実質上同形の深孔状のドライバ溝１８０が設けられている。
【００３２】
前記の各ドライバ溝１７４、１７６及び１７８には、例えば、それぞれ実質上同形で角型のサブドライバ１８２がばね１８４と共に装填され、また、前記各タンブラ溝１５４、１５６及び１５８にも先端に角型細径のサブタンブラピン１８６を有するサブタンブラ１８８が装填されている。そして、この各ドライバ溝１７４、１７６及び１７８と各タンブラ溝１５４、１５６及び１５８とが図４のように合致した場合、ばね１８４の作用により各サブドライバ１８２と各サブタンブラ１８８が二点鎖線にて示すように外方に移動して各サブドライバ１８２によりサブロータ８０と係合ボックス１１０間のシアライン１９０を跨いで、サブロータ８０の回転がロックされるように構成されている。
【００３３】
また、図４における上方の前記ドライバ溝１８０には、ばね１９４を介してサブドライバ１９２が装填され、また、駆動板の溝１６０には、先端に細幅の駆動ピン１９６を有する縦長板状の駆動板１９８が装填され、このドライバ溝１８０と駆動板の溝１６０とが図４に示すように合致した場合、サブキー１３０の有無に関係なく、サブドライバ１９２はサブロータ８０と係合ボックス１１０間のシアライン１９０を跨がないようになっている。そして、前記駆動板１９６の先端は、前記複数のいずれのキー溝の底の位置より外方に突出するように形成されている。
【００３４】
また、前記サブキー１３０の各キー溝１３４、１３６及び１３８は、それぞれ、前記サブロータ８０のピン溝１６４、１６６及び１６８に対応して設けられ、各キー溝１３４、１３６及び１３８の側部にすり鉢状の傾斜部１３９を備えている。また、前記サブキー１３０に設けられている縦長状の駆動溝１４０は、図４に示すように、時計回り側（図４において上側）がスリット１７０に沿う直角面２００に形成され、反対の反時計回り側には傾斜面２０２が形成されていて、その高さは、図５に示すように、上下方向に設けられている複数のキー溝１３４、１３６及び１３８の上下位置の寸法より高いものである。
【００３５】
この第１の実施形態においては、タンブラ８、ドライバ１０及びばね１２が第１のロック手段を構成し、この第１のロック手段、メインロータ４、メインシリンダ６及び第１のロック手段のロック状態を解除するためのメインキー１５が第１のロック機構を構成している。また、サブタンブラ１８８、サブドライバ１８２及びばね１８４が第２のロック手段を構成し、この第２ロック手段、ベース盤１０６、遮蔽円板６０、サブロータ８０、サブキー１３０及びカバー３８が第２のロック機構を構成する。
【００３６】
次に、主として図２を参照しながら、第１の実施形態の施錠装置の組立て順序について説明する。
（イ）シリンダ錠本体２におけるメインシリンダ６の下面の連結孔２６に連結リング３０の連結ピン３４を嵌入固定する。
（ロ）スピンドル５２上部の円弧状突起５８をカバー３８の円弧孔４６から上方に突出させ、遮蔽円板６０の円板本体６２をスピンドルアーム５６の内部上方に沿わせた状態にてカバー３８の突出パイプ４４をメインロータ４下方の首部２０に挿入すると共に、円弧状突起５８を連結リング３０の切欠凹部３６に嵌め込み、ビス３７にて円弧状突起５８を切欠凹部３６に固定する。
【００３７】
（ハ）遮蔽円板６０の円板本体６２の中央の孔６８をメインロータ４の首部２０に嵌め込み、円板本体６２のビス孔７０にビス７１を通し首部２０下面のねじ孔２８にビス７１をねじ込んで遮蔽円板６０をメインロータ４の下部に連結固定する。
（ニ）遮蔽円板６０の下面に座金７６を介してサブロータ８０の孔９０をメインロータ４の首部２０に嵌め込むと共に、その下面にも座金９４を嵌め込んだ後、角芯９６上部の円形鍔９８を連結部２４の下面と合わせ、連結リング１０２にてメインロータ４と角芯９６とを個々に回転可能に連結する。
【００３８】
（ホ）ベース盤１０６の貫通穴１１８を角芯９６の下方から挿入すると共に、円弧孔１２０をスピンドル５２の円弧状のスピンドル本体５４に通して、ベース盤本体１０８をカバー３８の下端部に固定する。
第１の実施形態における前記各部材の組立てに関する回転方向の位置関係は、図２に示すように、ロックバー２１２が框２１４に嵌り込んでロックされている状態において、図３の（ａ）に示すように、ベース盤１０６の係合ボックス１１０とサブロータ８０のロータ本体８４とが施錠角度位置Ｘにて対応し、カバー３８のキー窓５０が前記施錠角度位置Ｘに対して時計方向約８０度のサブキー挿入角度位置Ｙに位置し、遮蔽円板６０のキーボックス６４が前記施錠角度位置Ｘとサブキー挿入角度位置Ｙのほぼ中間に位置し、角芯９６のアーム１００が前記施錠角度位置Ｘに対して反時計方向約４５度の角芯ロック角度位置Ｗに位置し、スピンドル５２のスピンドルアーム５６が前記角芯９６のアーム１００の位置より反時計方向約９０度に位置している。
【００３９】
次に、主として図３を参照して、本発明に従う施錠装置の作動手順について説明する。
図３（ａ）に示す状態、即ち第１及び第２のロック手段が共に施錠状態で、ドア２１０側のロックバー２１２の先端が框２１４側に突出し、施錠装置がロックされている状態において、メインロータ４のキー孔１４にメインキー１５を挿入すると、図２に示すように第１のロック手段の各タンブラ８が作動し、メインロータ４とメインシリンダ６間のシアライン１８に跨って配置されていたドライバ１０が移動してシアライン１８を開放し、メインロータ４とメインシリンダ６は共に回転可能な状態、即ち、第１のロック手段が解除された状態となる。
【００４０】
この状態からメインキー１５を時計方向（この時計方向を所定方向と反対方向とする）に、サブキー挿入角度位置Ｙまで約４０度回転させると、遮蔽円板６０のキーボックス６４とカバー３８のキー窓５０とが合致し、かく合致すると、キー窓５０を通してキーボックス６４にサブキー１３０を挿入することが許容される。
【００４１】
この状態にて、キー窓５０を通して別体のサブキー１３０をキーボックス６４内に挿入した後、メインキー１５を反時計方向（この反時計方向を所定方向とする）に、施錠角度位置Ｘまで約８０度回転させると、図３（ｂ）に示すようにキーボックス６４内のサブキー１３０とサブロータ８０のロータ本体８４とが半径方向に対向する（図４、図５参照）。
【００４２】
この施錠角度位置Ｘにおいては、第２のロック手段のサブタンブラ１８８先端のサブタンブラピン１８６がピン溝１６６から外方に突出し、サブキー１３０のキー溝１３６に嵌ると共に、駆動板１９８先端の駆動ピン１９６がスリット１７０から外方に突出し、サブキー１３０の駆動溝１４０に嵌る。従って、サブロータ８０と係合ボックス１１０間のシアライン１９０が開放されて第２のロック手段が解除状態となり、係合ボックス１１０に対するサブロータ８０の相対的回動が許容される。
【００４３】
キーボックス６４内に挿入したサブキー１３０を反時計方向（所定方向）に回転させて上記施錠角度位置Ｘに合致させる際には、サブロータ８０の外周円弧部９２より外方に突出している駆動板１９８先端の駆動ピン１９６とサブタンブラ１８８先端のサブタンブラピン１８６の先端突出部をキーボックス６４の両側縁に設けられた傾斜状の押圧ガイド７５により順次サブロータ８０のロータ本体８４内に押し込みつつ回動させることになり、そして施錠角度位置Ｘにおいては、図４に示すように、駆動ピン１９６及びサブタンブランピン１８６が、ばね１９４及び１８４の作用によりサブキー１３０の駆動溝１４０及びキー溝１３６に嵌り込むので、スムーズにサブキー１３０をサブロータ８０と一致させて、シアライン１９０を開放して第２のロック手段を解除状態とすることができる。また、サブキー１３０の移動に際してはその内面がベース盤１０６上のキーガイド１１６の外周面に沿って移動するため、キーボックス６４から外れることはない。
【００４４】
図３（ｂ）に示す施錠角度位置Ｘ、即ち、第２のロック手段が解除状態になる位置から続いてメインキー１５を反時計方向（所定方向）に回してメインロータ４を回転させると、サブキー１３０の駆動溝１４０に嵌っている駆動ピン１９６の側面が駆動溝の直角面２００にて押され、これにより、サブロータ８０はサブキー１３０を挿入したキーボックス６４と共に図３（ｃ）に示す第２のロック手段のロック解除維持角度位置Ｚまで回転し、このロック解除維持角度位置Ｚまで回動すると、ストッパ１１４に当接してサブロータ１３０の回動が停止する。このロック解除維持角度位置Ｚでは、サブロータ８０の下面に設けたロータピン８８が共に回転し、アーム１００を介して角芯９６が反時計方向に回転し、この角芯９６と連結されているロックバー２１２のロック状態が解除される。従って、この図３（ｃ）に示す状態において、メインシリンダ６を回すことによりスピンドル５２を介してラッチボルト２１３を作動することによりドアを開閉することができる。
【００４５】
なお、サブロータ８０の移動の際、ばね１８４、１９４にて外方に付勢されている係合ボックス１１０内のサブドライバ１８２、１９２は、サブロータ８０の内面に連続的に延長して設けられている円弧状のロータガイド８６により外方に突出することなく係合ボックス１１０内に止まっている。また、この位置では、サブロータ８０の端面がベース盤１０６上のストッパ１１４に当接して仮止め状態（例えば磁石による吸着）になっている。
【００４６】
図３（ｃ）に示す状態からメインキー１５を時計方向（所定方向と反対方向）に回転させて、図３（ｄ）に示すように、キーボックス６４をカバー３８のキー窓５０に対応する位置、即ち、サブキー挿入角度位置Ｙまで戻すと、別体のフック（図示せず）にてサブキー１３０をキーボックス６４から抜き取り、その後、メインキー１５を逆に反時計方向（所定方向）に回転させてキーボックス６４を図３（ａ）に示す元の位置、即ち、施錠角度位置Ｘまで戻し、メインキー１５をメインロータ４のキー孔１４から抜く。
【００４７】
サブキー１３０をキーボックス６４と共に回転させてサブロータ８０から引き離す際、サブキー１３０に設けられているキー溝１３４、１３６、１３８や駆動溝１４０は、図４に示すように、その一方（回転方向の後ろ側）が傾斜面１３９、２０２に形成されているので、サブタンブラピン１８６や駆動ピン１９６の先端部はこの傾斜面１３９、２０２に沿って徐々にサブロータ８０の内面側に押し込められるようになり、これによって、サブキー１３０はスムーズに回転する。
【００４８】
第２のロック手段のロック解除維持角度位置Ｚでは、角芯９６が回動されてロックバー２１２によるドアのロックが解除されており、また、サブロータ８０はストッパ１１４と仮止め状態に保持されて移動しないため、メインシリンダ６の回転によりスピンドル５２を介して、ラッチボルト２１３を作動し、ドア２１０を開閉することができる。なお、この状態でキーボックス６４に異物等を詰めるようないたずらをしようとしても、キーボックス６４はカバー３８の天板４０にて遮蔽され、かつ、キー窓５０とキーボックス６４の位置は図のようにずれているため、錠の機能を不能にするようないたずらはできない。
【００４９】
この施錠装置を施錠する場合、図３（ｄ）に示す第２のロック手段のロック解除維持角度位置Ｚにおいて、メインロータ４のキー孔１４にメインキー１５を差し込み、時計方向（所定方向と反対方向）に約１１０度回転させると、遮蔽円板６０と共に作動棹６６が回転し、この作動棹６６により図３（ｄ）に示す状態から角芯９６のアーム１００が押され、続いてこのアーム１００によりサブロータ８０のロータピン８８が押され、図３（ｅ）に示すように、サブロータ８０が図３（ａ）に示す施錠角度位置Ｘに戻る。この施錠角度位置Ｘに戻ると、角芯９６が元の角度位置、即ちロックバー２１２のロック位置に戻されると共に、サブドライバ１８２がサブタンブラ１８８に作動してシアライン１１１を閉じ、第２のロック手段はロック状態となる。
【００５０】
その後、メインキー１５を逆に反時計方向（所定方向）に回してキーボックス６４を施錠角度位置Ｘとサブキー挿入角度位置Ｙとの中間の位置、即ち図３（ａ）に示す状態の位置に位置付け、この状態にてメインキー１５を引き抜くことにより、第１及び第２の両ロック手段が共にロック状態（施錠状態）となる。サブロータ８０を図３（ｄ）の状態から時計方向（所定方向と反対方向）に回転させる際、サブタンブラ１８８から外方に突出しているサブタンブラピン１８６や駆動ピン１９６の先端部は、係合ボックス１１０の外周縁に延長して設けられているタンブラガイド１１２の外面に沿って徐々にサブロータ８０内に押し込まれながら回転し、これにより、サブロータ８０をスムーズに図３（ｅ）の元のロック状態に戻すことができる。
【００５１】
前記の実施形態においては、前記第２ロック手段におけるロータ本体８４と係合ボックス１１０間のシアライン１９０の面を、メインロータ４の中心より離れた位置において比較的大きく確保することができるため、サブドライバ１８２、１９２の数やその太さを大きなものとすることができ、第２ロック手段を強固なものとすることができる。従って、シアライン１９０を跨ぐサブドライバ１８２、１９２は、横断面が横長状、即ち、図２における上下方向の厚さに対して回転方向の幅寸法（図４における上下幅）が大きいものを採用することができ、このため回転方向の耐せん断力が大きく、破壊され難くなる。
【００５２】
また、この実施形態においては、駆動ピン１９６の先端が、複数のいずれのキー溝の底の位置より外方に突出するように形成されているため、仮に、キーボックス６４内に柔軟物質を充填してサブタンブラピン１８６の出没状態を型取りしたとしても、この柔軟物質をキーボックス６４から引き抜くためにキー窓５０の位置まで回転させる際に、前記駆動ピン１９６の先端部にて全てのキー型を欠き削って消してしまうようになり、それ故に、サブキー１３０の模造を完全に防止することができる。
【００５３】
実施の形態２
次に、図７〜図１２を参照して、本発明に従う施錠装置の第２の実施形態について説明する。図７は、第２の実施形態の施錠装置の分解斜視図であり、図８は、第２のロック手段を解除した状態の縦断側面図（図９（ａ）におけるＤ−Ｄ断面図）であり、図９は、作動手順を示す説明図で、（ａ）〜（ｅ）は図８におけるＥ−Ｅ断面図であり、図１０は、第２のロック手段におけるタンブラ部分の断面拡大斜視図であり、図１１は、サブキーの拡大斜視図であり、図１２は、図８のＦ−Ｆ断面図である。
図７（ａ）は、下面が開放する角箱状のカバー３３８を示し、このカバー３３８は天板３４０を備え、この天板３４０の中央部に穴３４２が設けられると共に、この天板３４０の右方外周部近傍にキー窓３５０が設けられ、また、左方の側面下部に角穴３４４が設けられている。このキー窓３５０の平面形状は、図示例の場合、上側が尖った変形楔状で、キー窓３５０の外側縁が前記中央の穴３４２を中心とする円弧３４９に形成されている。
【００５４】
図７（ｂ）は、前記キー窓３５０の下面に位置する遮蔽円板３６０を示し、この遮蔽円板３６０は円板本体３６２を備え、円板本体３６２の中央に後記するメインロータ３０４のキー孔３１４に挿入するメインキー３１５が嵌る長孔３６８とその外方下面に二本のピン３７０とが設けられ、またその外周部下面にキーボックス３６４が設けられている。前記キーボックス３６４は、上面が前記カバー３３８のキー窓３５０と実質上同形の縦孔状で、外面が円弧３７２に形成され、円板本体３６２下部のキーボックス３６４において、この円弧３７２の部分は開口部３７４となっている。また、このキーボックス３６４には、開口部３７４の時計方向端縁に、内方に向けて延びるタンブラ用の押圧ガイド３７５が設けられている。
【００５５】
図７（ｃ）は、長手の角筒状ケース３９６内に往復スライド可能に設けられたドアをロックするためのロックバー３９８を示し、このロックバー３９８には、後記のサブロータ３８０の連結ピン３８８が嵌る連結用の長孔３９４が後部に設けられている。
図７（ｄ）は、サブロータ３８０を示し、このサブロータ３８０は、リング３９０の一部から外方に延びる帯板３８２の外周縁に上方に向けて設けた一定長さの肉厚円弧状のロータ本体３８４を備え、このロータ本体３８４の外周縁には、そこから時計方向に延長して延びる円弧板状のロータガイド３８６が設けられていると共に、帯板３８２と反対側には、リング３９０を突出させて形成した張り出し爪３９５が設けられ、この張り出し爪３９５に連結ピン３８８が設けられている。このロータ本体３８４の内周円弧部３９２は、前記キー窓３５０の外周円弧３４９やキーボックス３６４外側の円弧３７２と実質上同一の曲率半径になっている。
【００５６】
図７（ｅ）は、ベース盤４０６を示し、このベース盤４０６は角板状のベース盤本体４０８を備え、ベース盤本体４０８の上面右部には係合ボックス４１０が設けられ、またその内面には、反時計方向に外方に向かう案内傾斜板４１１を介して円弧板状のタンブラガイド４１２が設けられ、このタンブラガイド４１２先端部の内側にはストッパ４１４が設けられていると共に、このストッパ４１４の反時計方向やや内側にガイドストッパ４１８が設けられ、また前記係合ボックス４１０の時計方向やや内側に円弧板状のキーガイド４１６が設けられている。ベース盤本体４０８の略中心部には、メインロータ３０４と、その外周に位置するシリンダ３０６とからなるシリンダ錠本体３０２が設けられ、これらメインロータ３０４とメインシリンダ３０６の間には、図８に示すように第１のロック手段として、複数のタンブラ３０８とドライバ３１０がばね３１２を介して配置され。メインロータ３０４、メインシリンダ３０６及び第１のロック手段が第１のロック機構を構成している。
【００５７】
このような構成であるので、キー孔３１４へメインキー３１５を挿入すると、第１のロック手段のタンブラ３０８を介して前記メインロータ３０４とメインシリンダ３０６との間に跨って位置しているドライバ３１０が移動し、これによって、第１のロック手段のシアライン３１８が開放され、第１のロック手段がロック解除状態となってメインロータ３０４の回動が許容される。そして、前記メインロータ３０４の上面には、前記遮蔽円板３６０下面に設けられたピン３７０が嵌る連結孔３２８が設けられている。
【００５８】
なお、前記係合ボックス４１０は、その内周面が、前記サブロータ３８０のロータ本体３８４の外周面と実質上同一の曲率半径になっており、また、円弧板状のキーガイド４１６は、その内周面が、前記サブロータ本体３８４の内周円弧部３９２と実質上同一の曲率半径で、前記係合ボックス４１０の右端部内方から図９に示すように時計方向に約１５０度の範囲にわたって設けられている。また、前記タンブラガイド４１２の先端部内側に設けられているストッパ４１４は、磁石製で前記サブロータ３８０の当たりとなっている。このストッパ４１４は磁石製でなくてもよく、前記サブロータ３８０の側端部が当接した際に一定の力、即ち、後記する図９（ｃ）の状態から後記するサブキー４３０を時計方向に移動させて離す際に、サブロータ３８０がサブキー４３０と共に移動せず、メインキー３１５の回転力では容易に離れて移動するものであればよい。
【００５９】
図７（ｆ）は、前記キー窓３５０からキーボックス３６４に挿入されるサブキー４３０を示し、このサブキー４３０は、横断面がほぼ楔型で柱状に形成されている。このサブキー４３０の外側面は前記キー窓３５０の外側の円弧３４９及びキーボックス３６４の外側の円弧３７２と実質上同一の曲率半径であって、その円弧状の外側面には、上下方向に複数のキー溝４３４及び４３６が形成され、これら複数のキー溝４３４及び４３６の側部に、縦長状の駆動溝４４０が形成され、その上面に釣孔４４２が設けられている。
【００６０】
前記サブロータ３８０のロータ本体３８４、ベース盤４０６の係合ボックス４１０及びサブキー４３０との関係は、図１０及び図１２に示すように構成されている。即ち、ロータ本体３８４には、その外面のロータ本体３８４の時計方向側（図１２において上側）に角型の横長状タンブラ溝４５４及び４５６が回転方向と上下方向に少し位相をずらして設けられていると共に、その奥部の内周円弧部３９２側に角型のピン溝４６４及び４６６が設けられている。また、前記ロータ本体３８４の反時計方向側（図１２において下側）には、中間部に縦長状駆動板用の摺動溝４６０が設けられると共に、その奥部の内周円弧部３９２側に縦長状のスリット４７０が設けられている。一方、ベース盤４０６の係合ボックス４１０には、その内面に前記サブロータ３８０に設けた各タンブラ溝４５４及び４５６に対応して実質上同形の深孔状のドライバ溝４７４及び４７６が設けられている。
【００６１】
前記サブロータ３８０のロータ本体３８４とベース盤４０６の係合ボックス４１０との間には、第２のロック手段として、例えば、各ドライバ溝４７４及び４７６に、それぞれ実質上同形で角型のサブドライバ４８２がばね４８４と共に装填され、また、前記の各タンブラ溝４５４及び４５６には、先端に角型細径のサブタンブラピン４８６を有するサブタンブラ４８８が装填され、この各ドライバ溝４７４及び４７６と各タンブラ溝４５４及び４５６とが図１２のように合致すると、ばね４８４の作用により各サブドライバ４８２と各サブタンブラ４８８が二点鎖線にて示すように外方に移動して各サブドライバ４８２がサブロータ３８０のロータ本体３８４と係合ボックス４１０間のシアライン４９０を跨いで、サブロータ３８０の回転がロックされ、従って第２のロック手段がロック状態になる。
【００６２】
また、図１２における下方の前記摺動溝４６０には、ばね４９４を介して先端に細幅の駆動ピン４９６を有する縦長状駆動板４９８が装填され、この縦長状駆動板４９８は図１２に示すように他のタンブラ溝とドライバ溝とが合致したときでも、サブキー４３０の有無に関係なく、サブロータ３８０と係合ボックス４１０間のシアライン４９０を跨がないようになっている。そして、前記駆動板４９８の先端は、前記複数のいずれのキー溝の底の位置より内方に突出するように形成されている。
【００６３】
また、前記サブキー４３０の各キー溝４３４及び４３６は、それぞれ前記サブロータ３８０のピン溝４６４及び４６６に対応して設けられ、各キー溝４３４及び４３６の側部にすり鉢状の傾斜部４３９が設けられている。また、前記サブキー４３０に設けられている縦長状の駆動溝４４０は、図１２に示すように、反時計方向側がスリット４７０に沿う直角面４００に形成され、反対の時計回り側には傾斜面４０２が形成されていて、その高さは、側部の上下方向に設けられている複数のキー溝４３４及び４３６の上下位置の寸法より高く形成されている。
【００６４】
第２の実施形態においては、上述したように、前記のメインロータ３０４とメインシリンダ３０６との間に配置されている第１のロック手段と、前記第１のロック手段のロック状態を解除するためのメインキー３１５が第１のロック機構を構成し、ドアに取り付けられた前記ベース盤４０６と、前記第１のロック手段のメインロータ３０４に連結された遮蔽円板３６０と、この遮蔽円板３６０に対して相対的に回転可能に配置されたサブロータ３８０と、前記ベース盤４０６とサブロータ３８０との間に介在された第２のロック手段と、前記第２のロック手段のロック状態を解除するためのサブキー４３０と、前記ベース盤４０６に取り付けられ、前記遮蔽円板３６０を覆うカバー３３８が第２のロック機構を構成している。
【００６５】
次に、第２の実施形態の施錠装置の組み立て順序を、図８及び図９を参照しながら説明する。
（ヘ）ベース盤４０６の中央に設けられたシリンダ錠本体３０２のシリンダ３０６の外周部に、サブロータ３８０のリング３９０を嵌め込む。
（ト）サブロータ３８０の連結ピン３８８にロックバー３９８の後端の長孔３９４を通し、ロックバー３９８の先端部がベース盤４０６の左端縁より出没するように角筒状ケース３９６をベース盤４０６の左下方に固定する。
【００６６】
（チ）遮蔽円板３６０のキーボックス３６４をベース盤４０６のキーガイド４１６の内面に位置付けて、遮蔽円板３６０の下面のピン３７０をメインロータ３０４上面の連結孔３２８に嵌め込んで固定する。
（リ）最後に、カバー３３８の角穴３４４を前記角筒状ケース３９６に嵌め込むようにして、カバー３３８をベース盤４０６に固定する。
【００６７】
前記各部材の組立てに関する回転方向の位置関係は、次の通りである。ロックバー３９８が框２１４に嵌り込んでいるロックの状態（図８に示す状態）において、図９の（ａ）に示すように、ベース盤４０６の係合ボックス４１０とサブロータ３８０のロータ本体３８４とが施錠角度位置Ｘにて対応し、カバー３３８のキー窓３５０が前記施錠角度位置Ｘに対して時計方向約７０度のサブキー挿入角度位置Ｙに位置し、遮蔽円板３６０のキーボックス３６４が前記サブキー挿入角度位置Ｙに対して時計方向約３５度に位置し、サブロータ３８０の連結ピン３８８が前記キーボックス３６４の位置に対してさらに時計方向約５０度の位置、即ちロックバー３９８のロック位置Ｖに位置する。
【００６８】
次に、第２の実施形態の施錠装置の作動手順について、図９に基づき説明する。
図９（ａ）に示す、第１及び第２のロック手段が共に施錠状態（ロック状態）で、ドア２１０側のロックバー３９８の先端が框２１４側に突出しているドアの施錠状態において、メインロータ３０４のキー孔３１４にメインキー３１５を挿入すると、図８に示すように、第１のロック手段の各タンブラ３０８が作動し、メインロータ３０４とシリンダ３０６間のシアライン３１８に跨って配置されていたドライバ３１０が移動してシアライン３１８が開放され、第１のロック手段がロック解除状態となって、メインロータ３０４とシリンダ３０６の回転が許容される。この状態からメインキー３１５を反時計方向（この反時計方向を所定方向とする）にサブキー挿入角度位置Ｙまで約３５度回転させると、遮蔽円板３６０のキーボックス３６４とカバー３３８のキー窓３５０とが合致する。このサブキー挿入角度位置Ｙの状態において。キー窓３５０を通して別体のサブキー４３０をキーボックス３６４内に挿入し、その後、メインキー３１５を反時計方向（所定方向）に施錠角度位置Ｘまで約７０度回転させると、図９（ｂ）に示すように、キーボックス３６４内のサブキー４３０がサブロータ３８０のロータ本体３８４に対応する位置（図１２参照）まで移動する。この位置においては、第２のロック手段におけるサブタンブラ４８８先端のサブタンブラピン４８６がピン溝４６４から内方に突出してサブキー４３０のキー溝４３４に嵌ると共に、駆動板４９８先端の駆動ピン４９６がスリット４７０から内方に突出してサブキー４３０の駆動溝４４０に嵌る。従って、サブロータ３８０と係合ボックス４１０間のシアライン４９０が開放されて、第２のロック手段がロック解除状態となり、サブロータ３８０と係合ボックス４１０との相対的回転が許容される。
【００６９】
前記のキーボックス３６４内にサブキー４３０を挿入した状態にて、このサブキー挿入角度位置Ｙからサブキー４３０を反時計方向（所定方向）に回転させるに際しては、サブキー４３０はキーガイド４１６の内周面に沿って進むためにキーボックス３６４から外れることはなく、キーボックス３６４がサブロータ３８０の内周円弧部３９２に合致する手前から、キーボックス３６４の反時計側の側縁に設けられた傾斜状の押圧ガイド３７５により、ロータ本体３８４の内方に突出している駆動板４９８先端の駆動ピン４９６とサブタンブラ４８８先端のサブタンブラピン４８６の先端突出部を順次ロータ本体３８４内に押し込みつつ回動させ、これによって、上述したと同様に、スムーズにサブキー４３０をサブロータ３８０と一致させることができる。
【００７０】
図９（ｂ）に示す第２のロック手段が解除された状態から続いてメインキー３１５によりメインロータ３０４を反時計方向（所定方向）に、第２のロック手段のロック解除維持角度位置Ｚまで約３０度回転させると、図１２に示すように、サブキー４３０の駆動溝４４０に嵌っている駆動ピン４９６の側面が駆動溝の直角面４００にて押され、これによって、サブロータ３８０はサブキー４３０を挿入したキーボックス３６４と共に図９（ｃ）に示すロック解除維持角度位置Ｚ状態まで回転する。かくロック解除維持角度位置まで回動すると、サブロータ３８０はストッパ４１４に、またキーボックス３６４は反時計方向先端の押圧ガイド３７５の先端がガイドストッパ４１８に当接し、その回動が停止する。この回動に伴い、サブロータ３８０におけるロータ本体３８４の反対側に設けた連結ピン３８８が共に反時計方向に回転し、この連結ピン３８８に連結されているロックバー３９８が右方の解除位置Ｕまで摺動し、ロックバー３９８の先端部が框２１４から引き抜かれて角筒状ケース３９６内に収まる。この位置では、サブロータ３８０の端面がベース盤４０６上のストッパ４１４に当接して仮止め状態（例えば磁石による吸着）に保持され、ドア２１０は開閉し得る状態となる。
【００７１】
なお、前記サブロータ３８０の移動の際、ばね４８４にて内方に付勢されている係合ボックス４１０内のサブドライバ４８２は、サブロータ３８０の時計方向外面に連続的に延長して設けられている円弧状のロータガイド３８６により内方に突出することなく係合ボックス４１０内に止まっている。
図９（ｃ）に示す状態からメインキー３１５を時計方向（時計方向を所定方向と反対方向とする）に回転させて、図９（ｄ）に示すように、キーボックス３６４をカバー３３８のキー窓３５０の位置、即ち、サブキー挿入角度位置Ｙまで戻し、別体のフック（図示せず）をサブキー４３０上面の釣孔４４２に引っ掛けてサブキー４３０をキーボックス３６４から抜き取り、その後、メインキー３１５をさらに時計方向（所定方向と反対方向）に約３５度回転させてキーボックス３６４を図９（ａ）に示す元の位置まで戻し、メインキー３１５をメインロータ３０４のキー孔３１４から抜く。
【００７２】
前記のサブキー４３０をキーボックス３６４と共にロック解除維持角度位置Ｚから時計方向に回転させてサブロータ３８０から引き離す際、サブキー４３０に設けられているキー溝４３４及び１３６と駆動溝４４０には、図１２に示すように、その一方（回転方向の後ろ側）に傾斜面４３９、４０２が形成されている故に、サブタンブラピン４８６及び駆動ピン４９６の先端部はこの傾斜面４３９、４０２に沿って徐々にサブロータ３８０の内部に押し込められるようになり、サブキー４３０をスムーズに回転させることができる。この状態においては、図９（ｄ）に示すように、サブロータ３８０はストッパ４１４と仮止め状態に保持されていて移動しないため、ドア２１０はロックバー３９８によるロックが解かれた状態を保っており、従ってドア２１０を自由に開閉することができる。なお、このメインキー３１５を外した状態でキーボックス３６４に異物等を詰めるようないたずらをしようとしても、キーボックス３６４はカバー３３８の天板３４０にて遮蔽され、かつ、キー窓３５０とキーボックス３６４の位置は図９（ａ）に示すように周方向にずれているため、施錠装置の機能を不能にするようないたずらは実質上不可能となる。
【００７３】
第２の実施形態の施錠装置を施錠する場合、図９（ｄ）に示す第２のロック手段におけるサブロータ３８０のロータ本体３８４がロック解除維持角度位置Ｚにあり、この状態から反時計方向に約８５度回転させると、遮蔽円板３６０と共にキーボックス３６４が回転し、キーボックス３６４の時計方向先端部にて前記ロックバー３９８の後端部を押圧して、ロックバー３９８の先端部を図９（ｅ）に示すように角筒状ケース３９６から框２１４側へ突出してドア２１０を施錠状態とする。これと同時に、ロータ本体３８４もストッパ４１４から離れて時計方向に回転し、図９（ａ）の施錠角度位置Ｘに戻った際、第２のロック手段の角サブタンブラ４８８がサブドライバ４８２とばね４８４を介してロータ本体３８４の内側に突出し、サブドライバ４８２がシアライン４９０を跨ぎ、第２のロック手段が施錠状態（ロック状態）となり、ベース盤４０６に対するサブロータ３８０の相対的回転は実質上不可能となる。この施錠角度位置Ｘにてメインキー３１５を図９（ａ）の元の状態まで戻して引き抜くと、第１及び第２のロック手段が施錠状態となり、ドア２１０のロック状態が維持される。
【００７４】
前記のサブロータ３８０をロック解除維持角度位置Ｚから時計方向（所定方向と反対方向）に回転させて施錠角度位置Ｘに移動させる際、サブロータ３８０のロータ本体３８４内のサブタンブラ４８８は、通常、重力により図９（ｄ）に示す状態を保っているため特に問題はないが、このサブタンブラ４８８が、何らかの事情で上方（外方）に突出していた場合でも、係合ボックス４１０の反時計側に設けた案内傾斜板４１１によりサブタンブラ４８８はロータ本体３８４の内部に徐々に押し込まれながら回転するようになり、これにより、サブロータ３８０をスムーズに図９（ｅ）の元のロック状態に戻すことができる。
【００７５】
この第２の実施形態においても、前記第１の実施形態と同様に、前記第２ロック手段におけるロータ本体３８４と係合ボックス４１０間のシアライン４９０の面を、メインロータ３０４の中心より離れた位置において比較的大きく確保することができるため、サブドライバの数やその太さを大きなものとすることができ、第２のロック手段を強固なものとすることができる。従って、シアライン４９０を跨ぐサブドライバ４８２は、横断面が横長状、即ち、図８における上下方向の厚さに対して回転方向の幅寸法（図１２における上下幅）を大きくすることができ、このため回転方向の耐せん断力が大きく、破壊されにくいものにすることができる。
【００７６】
また、この第２の実施形態においても、駆動ピン４９６の先端が、複数のいずれのキー溝の底の位置より外方に突出するように形成されているため、仮に、キーボックス３６４内に柔軟物質を充填してサブタンブラピン４８６の出没状態を型取りしたとしても、この柔軟物質をキーボックス３６４から引き抜くためにキー窓３５０の位置まで回転させる際に、前記駆動ピン４９６の先端部にて全てのキー型を欠き削って消してしまうようになり、これによって、サブキー４３０の模造を完全に防止することができる。
【００７７】
なお、前記の各実施の形態においては、メインシリンダと、前記メインシリンダに対して回転可能であるメインロータとの間に、第１のロック手段を設け、前記メインロータに前記第１のロック手段を解除するためのメインキーを挿入するためのキー孔を設け、前記キー孔にメインキーを挿入して回動することにより、前記メインロータと一体的に連結された第２のロック機構におけるキーボックスを備えた遮蔽円板を回動させて第２のロック機構における第２のロック手段を解除する形態について説明したが、前記の第１のロック手段については必ず必要とするものではない。即ち、前記メインシリンダとメインロータ間の第１のロック手段を省き、メインロータのキー孔に代えて適宜な形状の操作孔を設け、また、前記メインキーに代えて前記操作孔に嵌る回動操作具とし、この回動操作具を前記メインロータの操作孔に差し込んで回動させるようにしてもよい。この場合、第２のロック手段は、そのままの構成のものがロック手段となり、第２のロック機構は、そのままの構成のものがロック機構となる。
【００７８】
また、前記の第１のロック手段を省略した形態においては、メインシリンダやメインロータを設けず、回動操作具にて直接遮蔽円板を回転させるようにしてもよい。
以上、本発明に従う施錠装置の実施形態について説明したが、本発明はこれら実施形態に限定されるものではなく、本発明の範囲を逸脱することなく種々の変形乃至修正が可能である。
【００７９】
例えば、前記実施の形態１においては、メインキーの操作手順として、前記第１のロック手段の前記施錠角度位置から前記メインキーを所定方向と反対方向に回動すると前記サブキー挿入角度位置に位置し、前記サブキー挿入角度位置から前記メインキーを前記所定方向に回動すると前記第２のロック手段の前記施錠角度位置に位置し、前記第２のロック手段の前記施錠角度位置から前記メインキーを前記所定方向にさらに回動すると前記第２のロック手段の前記ロック解除維持角度位置に位置するようにして、メインキーの回転角度範囲を比較的小さくすることにより、施錠装置の施錠解除操作を比較的に容易に行うことができるようにしたが、これを実施の形態２のように、前記第１のロック手段の前記施錠角度位置から前記メインキーを所定方向に回動すると前記サブキー挿入角度位置に位置し、前記サブキー挿入角度位置から前記メインキーをさらに前記所定方向に回動すると前記第２のロック手段の前記施錠角度位置に位置し、前記第２のロック手段の前記施錠角度位置から前記メインキーをさらに前記所定方向に回動すると前記第２のロック手段の前記ロック解除維持角度位置に位置するようにしてもよい。また、前記とは逆に、実施の形態２におけるメインキーの操作手順を、実施の形態１の操作手順のようにしてもよい。
【００８０】
また、図示しないが、前記実施の形態２において、ドアの内側とベース盤の本体に横長の開口を設けると共にロックバーにおける連結ピンと結合させている長孔も横長とし、前記ロックバーの下面に操作レバーを設け、ドアの内側から前記ロックバーを操作できるようにしてもよい。
さらに、前記実施の形態１、２においては、いずれも回転する形態の施錠装置について説明したが、例えば、第１のロック機構と第２のロック機構とを所定の間隔を設けて直線的に配置し、サブロータ（スライド式では「サブスライダー」となる）やキーボックスについてもキー窓を備えたチャネル状カバーの外部から直線的にスライド可能としてもよい。このスライドする形態においては、前記第１のロック手段の施錠位置において第１のロック機構のキー孔にメインキーを挿入すると、第１のロック手段のロック状態が解除されてキーボックスの移動が許容され、この状態においてメインキーを移動すると、前記第２のロック機構のキーボックスが移動され、メインキーをサブキー挿入位置まで移動させると、第２のロック機構のカバーのキー窓とキーボックスとが合致し、この状態においてキー窓を通してキーボックスにサブキーを挿入してメインキーを第２のロック手段の施錠位置まで移動すると、第２のロック手段のロック状態が解除されてサブスライダーの移動が許容され、この状態からメインキーを第２のロック手段のロック解除維持位置まで移動すると、サブキーとともにサブスライダーが移動して第２のロック手段のロック状態が解除されるとともにこの状態が維持されるようになる。
【００８１】
前記スライドする形態における、第１のロック手段の施錠位置、サブキー挿入位置、第２のロック手段の施錠位置及び第２のロック手段のロック解除維持位置は、それぞれ、前記回転する形態の施錠装置における、第１のロック手段の施錠角度位置、サブキー挿入角度位置、第２のロック手段の施錠角度位置及び第２のロック手段のロック解除維持角度位置に対応し、前記各請求項に記載の「角度」を付した位置の表現は、前記スライドする形態における「角度」を付さない位置の表現を含む概念である。
【００８２】
【発明の効果】
前記請求項１に記載の施錠装置においては、メインロータとメインシリンダ間に介在させた第１のロック手段に対し、仮にピッキングが成功してメインロータが回転可能になったとしても、第２のロック手段のロック状態を解除することはできない。従って、施錠装置のロック状態を実質上解除することはできず、かくしてこの施錠装置を取り付けたドア等を開閉することは実質上不可能である。また、仮に、ピッキング等によってメインロータを回転させて第２のロック機構のキーボックスとカバーのキー窓とを一致させたとしても、キーボックスに挿入する特殊形状のサブキーを所持していなければ、第２ロック機構のロック状態を解除することができない。さらに、第２ロック手段におけるロータ本体と係合ボックス間のシアラインの面を、メインロータの中心より離れた位置において比較的大きく確保することができるため、サブドライバの数やその太さを大きなものとすることができ、第２ロック手段を強固なものとすることができる。従って、本発明に係る施錠装置は、安全性が高く、防犯的にも極めて優れたものである。
【００８３】
また、前記請求項２に記載の施錠装置においては、前記請求項１に記載の効果に加えて、メインキーを第２のロック手段のロック解除維持角度位置まで回動すると、第２のロック手段のロック状態が解除されるとともに角芯が回動してロックバーのロック状態が解除されるため、この状態において第１のロック機構のメインシリンダを回動すると、スピンドルを介してドアと係合しているラッチボルトが移動され、ドアを開放することができる。
また、前記請求項３に記載の施錠装置においては、前記請求項１に記載の効果に加えて、メインキーを第２ロック手段のロック解除維持角度位置まで回動すると、サブロータを介して、ドアをロックするためのロックバーが移動され、これによってロックバーのロック状態を解除してドアを開放することができる。
【００８４】
また、前記請求項４に記載の施錠装置においては、前記請求項１に記載の効果に加えて、第１のロック手段の施錠角度位置からメインキーを所定方向と反対方向に回動してサブキー挿入角度位置に位置付け、その後所定方向に回動して第２のロック手段の施錠角度位置に位置付け、その後更に所定方向に回動して第２のロック手段のロック解除維持角度位置に位置付けるので、メインキーの回転角度範囲を比較的小さくして、施錠装置の施錠解除操作を比較的に容易に行うことができる。
【００８５】
また、前記請求項５に記載の施錠装置においては、前記請求項１に記載の効果に加えて、第１のロック手段の施錠角度位置からメインキーを所定方向に回動してサブキー挿入角度位置に位置付け、その後所定方向に回動すると第２のロック手段の施錠角度位置に位置し、その後さらに所定方向に回動すると第２のロック手段のロック解除維持角度位置に位置するので、メインキーの回動方向を特に気にすることなく施錠装置の施錠状態を解除することができる。
また、前記請求項６に記載の施錠装置においては、第１のロック手段が不要となるため、構造が簡単で価格の低廉化が図れる。
このように本発明に係る施錠装置は、いずれも安全性が高く、防犯的に極めて優れたものである。
【図面の簡単な説明】
【図１】本発明に従う施錠装置の第１の実施形態を分解して示す分解斜視図。
【図２】図１の施錠装置における第２のロック手段を解除した状態の縦断側面図（図３の（ｂ）におけるＡ−Ａ線による断面図）。
【図３】図１の施錠装置の作動手順を示す説明図で、（ａ）は平面図、（ｂ）〜（ｅ）は図２におけるＢ−Ｂ線による断面図。
【図４】図１の施錠装置の第２のロック手段におけるタンブラ部分を拡大して示す拡大断面図。
【図５】図４のＣ−Ｃ線による断面図。
【図６】図１の施錠装置のロータ本体の内面図。
【図７】本発明に従う施錠装置の第２の実施形態を分解して示す分解斜視図。
【図８】図７の施錠装置の第２のロック手段を解除した状態を示す縦断側面図。（図９の（ａ）におけるＤ−Ｄ線による断面図）。
【図９】図７の施錠装置の作動手順を示す説明図で、（ａ）〜（ｅ）は図８におけるＥ−Ｅ線における断面図。
【図１０】図７の施錠装置の第２のロック手段におけるタンブラ部分を拡大して示す断面拡大斜視図。
【図１１】図７の施錠装置のサブキーを拡大して示す拡大斜視図。
【図１２】図８のＦ−Ｆ線による断面図。
【符号の説明】
２、３０２  シリンダ錠
４、３０４  メインロータ
６  メインシリンダ
３０  連結リング
３８、３３８  カバー
５０、３５０  キー窓
５２  スピンドル
５４  スピンドル本体
６０、３６０  遮蔽円板
６４、３６４  キーボックス
６６  作動棹
７５、３７５  押圧ガイド
８０、３８０  サブロータ
８４、３８４  ロータ本体
８８  ロータピン
９６  角芯
１００  アーム
１０２  連結リング
１０６、４０６  ベース盤
１１０、４１０  係合ボックス
１１２、４１２  タンブラガイド
１１６、４１６  キーガイド
１３０、４３０  サブキー
２１１  錠本体ケース
２１２、３９８  ロックバー
２１３  ラッチボルト
３８８  連結ピン
【図１】
0004550301.tif 000002
【図２】
0004550301.tif 000003
【図３】
0004550301.tif 000004
【図４】
0004550301.tif 000005
【図５】
0004550301.tif 000006
【図６】
0004550301.tif 000007
【図７】
0004550301.tif 000008
【図８】
0004550301.tif 000009
【図９】
0004550301.tif 000010
【図１０】
0004550301.tif 000011
【図１１】
0004550301.tif 000012
【図１２】
0004550301.tif 000013